(57)【要約】【課題】離れた場所から喫煙エリアの情報を確認することができる喫煙エリアシステムを提供する。【解決手段】複数人が出入り可能な喫煙エリア２と、この喫煙エリア２内の人数を検出する人感センサ３と、喫煙エリア２から離れて設けられ人感センサ３により検出した情報を表示する表示手段４とを備えるから、人感センサ３により検出した情報に基いて喫煙エリア２を使用するかどうかを判断することができる。また、表示手段４を、喫煙エリア２から離れた遊技機５１の近傍に設けたから、遊技機５１による遊技中に喫煙エリア２の混雑情報を確認して使用することができるため、空いている時に喫煙エリア２を利用することできる。【選択図】図１
2020084606.tif 000002
【特許請求の範囲】
【請求項１】
複数人が出入り可能な喫煙エリアと、この喫煙エリア内の人数を検出する人感センサと、前記喫煙エリアから離れて設けられ前記人感センサにより検出した情報を表示する表示手段とを備えることを特徴とする喫煙エリアシステム。
【請求項２】
前記表示手段は前記喫煙エリアの混雑度を表示することを特徴とする請求項１記載の喫煙エリアシステム。
【請求項３】
前記表示手段を、前記喫煙エリアから離れた遊技機の近傍に設けたことを特徴とする請求項１又は２記載の喫煙エリアシステム。
【発明の詳細な説明】
【技術分野】
【０００１】
本発明は、喫煙エリアシステムに関する。
【背景技術】
【０００２】
従来、この種のものとして、人が入ると、人感センサがこれを検知して、光源を点灯すると共に、集塵ユニットの吸引用ファンを駆動する喫煙ブース（例えば特許文献１）や、出入口から人が入ると、人感知センサで感知するか、或いは作動スイッチをオンにすると、全ての機能が動き出す空気清浄機付喫煙所（例えば特許文献２）や、喫煙コーナーに人感知センサを設けて人の有無の感知情報により、分煙機及び情報機器を作動・停止させる喫煙空間利用システム（例えば特許文献３）などがある。
【先行技術文献】
【特許文献】
【０００３】
【特許文献１】特開２００１−１４０４８２号公報
【特許文献２】特開２００６−３０５８号公報
【特許文献３】特開２００２−１０６１８６号公報
【発明の開示】
【発明が解決しようとする課題】
【０００４】
上記従来技術のものは、人感センサで人を検出することにより、喫煙エリアにおける装置の自動化を図ることができる。
【０００５】
しかし、遊技場や飲食店などで、喫煙エリアが席などから離れた場所に有ると、現在の席から離れた喫煙エリアまで行っても、喫煙エリアが満員の場合、出直したり、待ち時間が長くなったりする問題がある。
【０００６】
また、喫煙者の人数に対して喫煙エリアが限られている場合、喫煙者が集中すると、出直す人が多くなるため、使用する喫煙者の人数を均一化できるシステムが望まれる。
【０００７】
解決しようとする課題は、離れた場所から喫煙エリアの情報を確認することができる喫煙エリアシステムを提供することを目的とする。
【課題を解決するための手段】
【０００８】
請求項１の発明は、複数人が出入り可能な喫煙エリアと、この喫煙エリア内の人数を検出する人感センサと、前記喫煙エリアから離れて設けられ前記人感センサにより検出した情報を表示する表示手段とを備えることを特徴とする。
【０００９】
請求項２の発明は、前記表示手段は前記喫煙エリアの混雑度を表示することを特徴とする。
【００１０】
請求項３の発明は、前記表示手段を、前記喫煙エリアから離れた遊技機の近傍に設けたことを特徴とする。
【発明の効果】
【００１１】
請求項１の構成によれば、人感センサにより検出した情報に基いて喫煙エリアを使用するかどうかを判断することができる。
【００１２】
請求項２の構成によれば、混雑時を避けて喫煙エリアを使用することができる。
【００１３】
請求項３の構成によれば、遊技機による遊技中に喫煙エリアの混雑情報を確認して使用することができるため、空いている時に喫煙エリアを利用することできる。
【図面の簡単な説明】
【００１４】
【図１】本発明の実施例１を示す喫煙エリアシステムの全体図である。
【図２】同上、禁煙エリアの平面図である。
【図３】同上、禁煙エリアの側面図である。
【図４】同上、遊技機の正面図である。
【図５】同上、表示手段の正面図である。
【図６】本発明の実施例２を示す表示手段の正面図であり、図６（Ａ）は表示前、図６（Ｂ）は青色表示、図６（Ｃ）は黄色表示、図６（Ｄ）は赤色表示を示す。
【図７】本発明の実施例３を示す表示手段の正面図であり、図７（Ａ）は消灯状態、図７（Ｂ）は点灯状態を示す。
【図８】本発明の実施例４を示す表示手段の正面図であり、図８（Ａ）は非表示状態、図８（Ｂ）は「空あり」を表示した状態、８図（Ｃ）は「余裕あり」を表示した状態、図８（図（Ｄ））は「満員」を表示した状態を示す。
【図９】本発明の実施例５示す表示手段の正面図であり、図９（Ａ）は表示数が０個の場合、図９（Ｂ）は表示数が３個の場合を示す。
【図１０】本発明の実施例６を示す表示手段を組み込んだ表示装置の正面図である。
【図１１】本発明の実施例７を示す表示手段の表示を表示した表示装置の正面図である。
【図１２】本発明の実施例８を示す禁煙エリアの平面図である。
【図１３】本発明の実施例９を示す集合空間の断面図である。
【図１４】同上、表示手段の縦断面図である。
【図１５】本発明の実施例１０を示す喫煙エリアの側面図である。
【発明を実施するための形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
本発明の実施例１を図１〜図５を参照して説明する。喫煙エリアシステム１は、喫煙エリア２と、この喫煙エリア２内の人の数を検出する人感センサ３と、前記喫煙エリア２から離れた場所に設けられ前記人感センサ３により検出した情報を表示する表示手段４と、前記人感センサ３により検出した情報から混雑度を前記表示手段４に表示するように制御する制御手段５とを備える。尚、図１では制御手段５を遊技機５１に設ける例を示したが、制御手段５の配置は適宜選定できる。
【００１７】
前記喫煙エリア２は、正面部１１，背面部１２，左右の側面部１３，１３及びこれらの上部を塞ぐ天面部１４を有し、平面略方形をなす。前記正面部１１は、左右方向一側である左側に出入り口１５となる開口部を有すると共に、左右方向他側である右側に正面壁部１６を有し、前記出入り口１５は正面部１１の略半分の大きさを有し、その出入り口１５に引き戸式の扉体１７が設けられ、この扉体１７には開閉操作用の取っ手部１８が設けられている。尚、前記扉体１７は正面壁部１６の後面側に配置されている。
【００１８】
前記正面壁部１６及び扉体１７は、上下左右の外枠部２１の高さ方向中央に横桟部２２を設け、この横桟部２２の上下にパネル２３，２３を配置して塞いでいる。また、前記天面部１４は、四方の外枠部２１の左右方向中央に前後方向の前後桟部２４を設け、この前後桟部２４の左右にパネル２３，２３を配置して塞いでいる。
【００１９】
また、前記背面部１２と側面部１３には、四方の外枠部２１の高さ方向中央に横桟部２２を設けると共に、その幅方向中央に縦桟部２５を設け、４つの開口にパネル２３，２３，２３，２３を配置して塞いでいる。前記外枠部２１，横桟部２２，前後桟部２４及び縦桟部２５はステンレス合金などからなり、前記パネル２３は半透明又は透明なものが用いられる。そして、前記パネル２３は曇りガラスでもよい。
【００２０】
前記天面部１４上には、空気清浄装置３１及び吸引手段たる送風ファン３２が配置されている。この例では、前記出入り口１５に近い左側に、前記空気清浄装置３１を配置し、該出入り口１５に遠い右側に、前記送風ファン３２を配置し、この送風ファン３２の駆動により前記喫煙エリア２内の空気を、前記空気清浄装置３１を通して吸引し、送風ファン３２から外部に排出する。
【００２１】
前記空気清浄装置３１は下面に吸込み口３１Ｓを有し、この吸込み口３１Ｓを前記天面部１４の開口部１４Ｋに連通して配置し、該空気清浄装置３１の吐出し口３１Ｈを前後方向他側の後側に設けている。また、前記送風ファン３２は、その中心軸が前後方向に配置され、前後方向他側の後側にファン吸込み口３２Ｓを有すると共に、前後方向一側の前側にファン吐出し口３２Ｈを有する。
【００２２】
前記吐出し口３１Ｈと前記ファン吸込み口３２Ｓとを略Ｕ字状に屈曲した接続管路３３により接続し、この接続管路３３は、左右方向の中央部３３Ｃの両側に、略９０°の屈曲部３３Ｋ，３３Ｋを有する。また、前記ファン吐出し口３２Ｈに排気管路３４の屈曲部３４Ｋを接続し、この排気管路３４の下流は左右方向他側（右側）に向いている。
【００２３】
前記空気清浄装置３１内には、上流側の前記吸込み口３１Ｓから下流側の前記吐出し口３１Ｈの間に、プレフィルタ３６，集塵ユニット３７，脱臭装置３８の順で配置されている。前記集塵ユニット３７には高圧電気集塵ユニットなどが用いられ、前記脱臭装置３８にはオゾンによる空気の脱臭を行うオゾン脱臭装置などが用いられる。
【００２４】
また、前記天面部１４の下面には、照明手段４１と火災報知器４２が配置されている。
【００２５】
前記人感センサ３は、前記天面部１４の下面の中心に配置されている。その人感センサ３としては、検知範囲の人と周囲の温度差を検出して人の数を検出する非接触温度センサ内蔵型人感センサであって、温度データの高温領域数をカウントし、人数を出力するものや、撮像手段により撮像した画像を処理して検知範囲の人の数を検出する画像センサなどの非接触式のセンサが用いられる。
【００２６】
前記制御手段５は、前記人感センサ３により検出した喫煙エリア２内の人数の情報に基づき、喫煙エリア２の混雑度を前記表示手段４に表示する。また、この例では、前記喫煙エリア２は、前後及び左右の寸法が１．２〜２メートル程度であり、一例として、定員を４名として説明する。尚、前記喫煙エリア２内には図示しない灰皿などが設けられる。
【００２７】
図４では、パチンコやパチスロなどの遊技機５１の上部正面に前記表示手段４を設け、この表示手段４はレベルメータなどである。前記表示手段４は、下から上に並んだ青色、黄色、黄色，黄色，赤色の三色で４個の表示部５２，５２Ａ，５２Ａ，５２Ｂを有し、これら表示部５２，５２Ａ，５２Ａ，５２ＢにはＬＥＤや液晶ディスプレイなどが用いられる。尚、下から３番目の表示部５２Ａの黄色を、他と異なる橙色としても良い。また、図４では、隣り合う表示部５２，５２Ａ，５２Ａ，５２Ｂの間に線を記載したが、表示前は前記線が表れなくともよい。
【００２８】
図４に示すように、遊技機５１の上部正面の中央には、遊技機５１の情報などを表示する表示装置６１が設けられ、この例では、前記表示装置６１の隣り並んで前記表示手段４が配置されている。このように表示手段４は遊技機５１の正面と同一面側に配置されており、遊技者から見易い配置になっている。尚、前記喫煙エリア２は、遊技機５１を遊技する遊技者から見えない場所にある。
【００２９】
そして、前記制御手段５は、前記人感センサ３により検出した人数に基いて、検出した人数が、がら空きに空いている状態である０〜１名の場合は、青色の表示部５２が青色に表示され、満員でない２名の場合は、表示部５２に加えて左から２番目の黄色の表示部５２Ａが黄色に表示され、３名の場合は、表示部５２，５２Ａに加えて左から３番目の黄色の表示部５２Ａが黄色に表示され、満員である４名の場合は、赤色の表示部５２Ｂを赤色に表示されて全ての表示部５２，５２Ａ，５２Ａ，５２Ｂが表示され、検出した人数が変わるとリアルタイムに発光表示を変更する。尚、検出した人数が０人の場合、青色の表示部５２が点灯しない非表示としても良い。また、ＬＥＤなどの点灯手段を用いた場合は、発光表示される。
【００３０】
従って、遊技機５１の前に座った使用者は、座ったままで、表示手段４により喫煙エリア２の混雑状況を把握することができ、満員の喫煙エリア２に行って出直したり、待ったりすることが無くなる。また、喫煙エリア２に行って待つ時間も無くなり、又は少なくなるため、使用者が喫煙エリア２を快適に使用できるだけでなく、喫煙で遊技機５１から離れる時間が短くなり、遊技機５１の稼働時間も確保することができる。
【００３１】
このように本実施例では、請求項１に対応して、複数人が出入り可能な喫煙エリア２と、この喫煙エリア２内の人数を検出する人感センサ３と、喫煙エリア２から離れて設けられ人感センサ３により検出した情報を表示する表示手段４とを備えるから、人感センサ３により検出した情報に基いて喫煙エリア２を使用するかどうかを判断することができる。
【００３２】
このように本実施例では、請求項２に対応して、表示手段４は喫煙エリア２の混雑度を表示するから、混雑時を避けて喫煙エリア２を使用することができる。
【００３３】
このように本実施例では、請求項３に対応して、表示手段４を、喫煙エリア２から離れた遊技機５１の近傍に設けたから、遊技機５１による遊技中に喫煙エリア２の混雑情報を確認して使用することができるため、空いている時に喫煙エリア２を利用することできる。
【００３４】
以下、実施例上の効果として、検出した人数が０人の場合、青色の表示部５２が点灯しない非表示とすれば、省エネ化を図ることができる。また、人感センサ３は温度データの高温領域数をカウントし、人数を出力するものであるから、比較的安価にして検出精度の信頼性に高いものとなる。さらに、遊技機５１の表示装置６１の隣りに表示手段４を配置したから、見易いものになる。また、表示手段４は、混雑度により表示する数が増減すると共に、表示（発光）色が異なるから、判り易いものとなる。
【００３５】
また、喫煙エリア２において、出入り口１５に近い側に空気清浄装置３１を配置したから、空気清浄装置３１を動かすことにより、扉体１７の開閉時における外部への煙の漏れを抑制できる。また、空気清浄装置３１と送風ファン３２を左右に並べ、空気清浄装置３１の吐出し口３１Ｈを前後方向他側に配置し、送風ファン３２の吐出し口３２Ｈと吸込み口３２Ｓを前後方向一側と他側に配置し、空気清浄装置３１と送風ファン３２とを左右方向の接続管路３３により接続したから、比較的狭い天面部１４に装置を効率よく配置することができる。
【実施例２】
【００３６】
図６は本発明の実施例２を示し、上記実施例１と同一部分に同一符号を付し、その説明を省略して詳述する。この例の表示手段４Ａは、１つの発光表示部たる表示部５３を有し、この表示部５３は、定員が４名で、検出した人数が、がら空きに空いている状態である０〜１名の場合は青色（図６（Ｂ））、余裕がある２名の場合は黄色（図６（Ｃ））、混雑又は満員である３〜４名の場合は赤色（図６（Ｄ））に発光表示する。尚、図６（Ａ）は発光表示前を示し、図６（Ｂ）〜図６（Ｄ）の青・黄・赤の表示は理解を容易にするために記載したものであり、実際には表示されないが、判り易くするために記載してもよい。
【００３７】
このように本実施例では、表示手段４Ｂは喫煙エリア２の混雑度を表示するから、上記実施例１と同様な作用・効果を奏する。また、この例では、１つの表示部５３を用いた簡易な構成により、その表示部５３の色が変わることにより混雑度を表示することができる。
【実施例３】
【００３８】
図７は本発明の実施例３を示し、上記各実施例と同一部分に同一符号を付し、その説明を省略して詳述する。この例の表示手段４Ｂは、１つの発光表示部たる表示部５４を有し、この表示部５４は、検出した人数が満員である４名の場合に、例えば赤色に発光する。この場合、表示部５４をＬＥＤなどの光源にした場合、満員の場合、赤色に点灯し（図７（Ｂ））、それ以外、消灯する（図７（Ａ））ように制御してもよい。
【００３９】
このように本実施例では、表示手段４Ｂは喫煙エリア２の混雑度を表示するから、上記各実施例と同様な作用・効果を奏する。また、表示部５４をＬＥＤなどの光源にすれば、点灯又は消灯という簡易な表示で満員状態を確認することができる。
【実施例４】
【００４０】
図８は本発明の実施例４を示し、上記各実施例と同一部分に同一符号を付し、その説明を省略して詳述する。この例の表示手段４Ｃは、液晶ディスプレイ５５を有し、検出した人数が、がら空きに空いている状態である０〜１名の場合は「空あり」（図８（Ｂ））、２〜３名の場合は「余裕あり」（図８（Ｃ））、満員である４名の場合は「満員」（図８（Ｄ））を表示する。尚、図８（Ａ）は非表示の状態を示す。
【００４１】
尚、定員４名の場合、定員の２５％以下（０〜１名）を「空き」、２５％を超え、７５％未満（２名）を「余裕あり」、７５％以上（３〜４名）の場合は「混雑」と発光表示する。また、「空き」を青色、「余裕あり」を黄色、「混雑」を赤色というように表示色を変えて表示してもよい。
【００４２】
このように本実施例では、表示手段４Ｃは喫煙エリア２の混雑度を表示するから、上記各実施例と同様な作用・効果を奏する。また、この例では、表示手段４Ｃは文字情報を表示するから、判り易いものとなる。
【実施例５】
【００４３】
図９は本発明の実施例５を示し、上記各実施例と同一部分に同一符号を付し、その説明を省略して詳述する。この例の表示手段４Ｄは、表示部５６，５６Ａ，５６Ａ，５６Ｂを同色表示し、人数により表示部５６，５６Ａ，５６Ａ，５６Ｂの表示数を変えるように表示する。即ち、上述したように検出した人数の増減により表示数が増減し、図９（Ａ）は０名の場合の表示であり、図９（Ｂ）は３名の場合の表示を示す。
【００４４】
また、表示部５６，５６Ａ，５６Ａ，５６Ｂを左から右に並べて配置している。さらに、表示部５６，５６Ａ，５６Ａ，５６Ｂに沿って検出した人数を表示する人数表示部５６が設けられ、この人数表示部５６が目盛りである。
【００４５】
このように本実施例では、表示手段４Ｄは喫煙エリア２の混雑度を表示するから、上記各実施例と同様な作用・効果を奏する。また、この例では、表示部５６，５６Ａ，５６Ａ，５６Ｂの表示の増減により混雑度を確認することができる。
【実施例６】
【００４６】
図１０は本発明の実施例６を示し、上記各実施例と同一部分に同一符号を付し、その説明を省略して詳述する。同図は、上記実施例の表示手段４，４Ａ，４Ｂ，４Ｃ，４Ｄの少なくとも１つを、遊技機５１の表示装置６１に組み込んでいる。尚、図１０では、一例として、実施例１の表示手段４を組み込んだものを図示している。
【００４７】
前記表示装置６１は、一般には遊技機５１の番号を付してあるときには「ナンバランプ」と称されたり、何らかのトラブル発生時に遊技場員を呼び出す「呼出しボタン」が付いているときには「呼出しランプ」と称されたりするものがある。
【００４８】
この例では、前記表示装置６１は呼出しランプであり、正面中央に表示部６２を有し、左右方向一側に呼出しボタン６３を有し、左右方向他側に前記表示手段４，４Ａ，４Ｂ，４Ｃ，４Ｄのいずれかを組み込んでおり、前記呼出しボタン６３を押すことにより遊技場員を呼び出すことができる。
【００４９】
尚、遊技機５１には台間機６０が設けられており、この台間機６０には、紙幣挿入口，コイン挿入口やモニタ（図示せず）が設けられ、その台間機６０に前記表示手段４，４Ａ，４Ｂ，４Ｃ，４Ｄのいずれかを組み込んでもよい。
【００５０】
また、前記表示装置６１には、文字等を表示する表示部（以下、「文字表示部」ということがある。）６５、「当たり」発生回数を表示する当たり回数表示部６６、「スタート」回数を表示するスタート回数表示部６７及び所謂「確変」を表示する確変表示部６８等が設けられている。
【００５１】
このように本実施例では、表示手段４，４Ａ，４Ｂ，４Ｃ，４Ｄは喫煙エリア２の混雑度を表示するから、上記各実施例と同様な作用・効果を奏する。また、この例では、表示手段４，４Ａ，４Ｂ，４Ｃ，４Ｄを表示装置６１に組み込んだから、表示手段４，４Ａ，４Ｂ，４Ｃ，４Ｄを別途に設置する必要がなく、設置及び管理が容易となる。
【実施例７】
【００５２】
図１１は本発明の実施例７を示し、上記各実施例と同一部分に同一符号を付し、その説明を省略して詳述する。この例では、前記表示装置６１の前記表示部６２は液晶ディスプレイの画像表示器からなり、その表示部６２に、前記表示手段４，４Ａ，４Ｂ，４Ｃ，４Ｄの表示を行うように構成したものである。また、前記表示装置６１に喫煙エリカ確認スイッチ６９を設け、この喫煙エリカ確認スイッチ６９を操作することにより、前記表示部６２に、前記表示手段４，４Ａ，４Ｂ，４Ｃ，４Ｄの少なくとも１つの表示内容が表示される。尚、図では、一例として、表示部６２に表示手段４を表示しており、この例では表示部６２が表示手段となる。
【００５３】
そして、この例では表示装置６１に表示手段４，４Ａ，４Ｂ，４Ｃ，４Ｄを設ける必要がなく、表示部６２に喫煙エリア２の人数情報などの混雑度を表示することができる。
【００５４】
このように本実施例では、表示手段４，４Ａ，４Ｂ，４Ｃ，４Ｄは喫煙エリア２の混雑度を表示するから、上記各実施例と同様な作用・効果を奏する。また、この例では、液晶ディスプレイなどの表示部６２のソフト面を改良するだけで済み、表示装置６１を改良する必要がなく、全体として安価なものとなる。
【実施例８】
【００５５】
図１２は本発明の実施例８を示し、上記各実施例と同一部分に同一符号を付し、その説明を省略して詳述する。同図は、定員が８名の喫煙エリア２Ａを示し、前記喫煙エリア２を左右に２つ並べた形状を有し、２つの人感センサ３，３を用い、これら人感センサ３，３を喫煙エリア２Ａの左右のエリアのそれぞれの中央に配置しており、制御手段５は２つの人感センサ３，３により検出した人数により各実施例に示した表示手段４，４Ａ，４Ｂ，４Ｃ，４Ｄによる表示を行うように制御する。尚、この例の人感センサ３は、非接触温度センサ内蔵型人感センサである。
【００５６】
例えば、定員８名の場合、定員の２５％以下（０〜２名）を「空き」、２５％を超え、７５％未満（３〜５名）を「余裕あり」、７５％以上（６〜８名）の場合は「混雑」又は「満員」となる。
【００５７】
このように本実施例では、４，４Ａ，４Ｂ，４Ｃ，４Ｄは喫煙エリア２の混雑度を表示するから、上記各実施例と同様な作用・効果を奏する。また、この例のように、喫煙エリア２Ａの大きさにより人感センサ３の設置数を変えて対応することができ、検出精度に優れたものとなる。
【実施例９】
【００５８】
図１３〜図１４は本発明の実施例９を示し、上記各実施例と同一部分に同一符号を付し、その説明を省略して詳述する。同図は、飲食店などの人が集まる集合空間たる部屋７１を示し、この部屋７１の天井７２や側壁の内面に表示手段４Ｅを設けている。この表示手段４Ｅは、パトライト（登録商標）などの回転発光表示器７３が用いられる。尚、喫煙エリア２は、部屋７１の出入り口などを閉めた状態で、部屋７１内の人から見えない場所にある。
【００５９】
図１４に示すように、回転発光表示器７３は、ベース部８１に光源取付部８２を立設し、この光源取付部８２の上端に光源８３を配置し、前記光源取付部８２の周囲に回転体８４を回転可能に設け、この回転体８４にリフレクタ８５を取り付けている。このリフレクタ８５は焦点が前記光源８３の中心と略一致し、内面に反射面８５Ａを有し、それら光源８３及びリフレクタ８５などがグローブ８６に覆われ、このグローブ８６は合成樹脂などからなり、赤色や黄色で透光性を有する。尚、図１３では、図１４の回転発光表示器７３を上下逆にし、ベース部８１を天井７２に取り付けている。
【００６０】
従って、混雑又は満員の場合、光源８３を点灯し、図示しない回転駆動手段によりリフレクタ８５を回転すると、このリフレクタ８５に反射した光源８３の反射光が、３８０°向きを変えて回転するように照射される。
【００６１】
このように本実施例では、表示手段４Ｅは、点灯と消灯の切換えにより喫煙エリア２の混雑度を表示するから、上記各実施例と同様な作用・効果を奏する。また、この例では、表示手段４Ｅが回転発光表示器７３であるから、集合空間内の複数の人に喫煙エリア２の混雑度を伝えることができる。
【実施例１０】
【００６２】
図１５は本発明の実施例１０を示し、上記各実施例と同一部分に同一符号を付し、その説明を省略して詳述する。この例では、上記各実施例で示したように、喫煙エリア２，２Ａから離れた場所に表示手段４，４Ａ，４Ｂ，４Ｃ，４Ｄ，４Ｅのいずれかを設け、さらに、喫煙エリア２，２Ａに表示手段４，４Ａ，４Ｂ，４Ｃ，４Ｄ，４Ｅのいずれかを設けている。
【００６３】
この場合、離れた場所からも視認し易い表示手段４，４Ａ，４Ｂ，４Ｄ，４Ｅを、喫煙エリア２，２Ａの前記正面部１１の上部側に配置することが好ましく、特に、回転発光表示器７３を備えた表示手段４を、前記正面部１１側の前記天面部１４上に配置すると見易くなる。
【００６４】
このように本実施例では、喫煙エリア２，２Ａに表示手段４，４Ａ，４Ｂ，４Ｃ，４Ｄ，４Ｅを設けているから、喫煙エリア２，２Ａの表示手段が見える場所まで来たら、喫煙エリア２，２Ａに着く前に満員かどうか判り、無駄に待つことなく、出直すことができる。
【００６５】
尚、本発明は、本実施例に限定されるものではなく、本発明の要旨の範囲内で種々の変形実施が可能である。例えば、実施例では、表示手段は実施例で示した以外でも、各種タイプのものを用いることができる。また、表示手段たる回転発光表示部を、天井以外で遊技機の島の上などの高い位置に配置してもよい。さらに、本喫煙エリアシステムは、実施例で示した遊技場や飲食店以外でも、禁煙となる集合空間があれば、各種の場所に用いることができる。また、喫煙エリアの形状や大きさは各種のものに対応できる。
【符号の説明】
【００６６】
１  喫煙エリアシステム
２，２Ａ  喫煙エリア
３  人感センサ
４，４Ａ，４Ｂ，４Ｃ，４Ｄ，４Ｅ  表示手段
５１  遊技機
６２  表示部（表示手段）
【図１】
2020084606.tif 000003
【図２】
2020084606.tif 000004
【図３】
2020084606.tif 000005
【図４】
2020084606.tif 000006
【図５】
2020084606.tif 000007
【図６】
2020084606.tif 000008
【図７】
2020084606.tif 000009
【図８】
2020084606.tif 000010
【図９】
2020084606.tif 000011
【図１０】
2020084606.tif 000012
【図１１】
2020084606.tif 000013
【図１２】
2020084606.tif 000014
【図１３】
2020084606.tif 000015
【図１４】
2020084606.tif 000016
【図１５】
2020084606.tif 000017